(57)【要約】【課題】比較的大きいものでも収容でき、身体を動かす際にじゃまにならず、長時間着用したときでも苦痛を感じない大腿部着用パウチを提供する。【解決手段】大腿部１４に着用するパウチ１０であって、このパウチ１０は、腰ベルト１３に繋がる吊りベルト１１と、大腿部１４に巻き付けられるベルト１５とにより大腿部１４に密着保持されるようにしたもので、より詳しくは、パウチ１０の外側面に携帯電話を収容する小袋１７ａを付設し、上蓋１９を二重構造として上蓋内にコインを収容する仕切りを設けたり、パウチ１０の外側面にゴルフボールを収容する小袋を付設したり、パウチの一部にゴルフプレー用のティーやマーカーを収容できるようにし、前面にスコアーカードを収容するポケットを設けることができる。【選択図】図１
2006340773.tif 000002
【特許請求の範囲】
【請求項１】
大腿部（１４）に着用するパウチ（１０）であって、このパウチ（１０）は、腰ベルト（１３）に繋がる吊りベルト（１１）と、大腿部（１４）に巻き付けられるベルト（１５）とにより大腿部（１４）に密着保持されることを特徴とする大腿部着用形パウチ。
【請求項２】
上記大腿部着用形パウチ（１０）であって、パウチ（１０）本体の外側面に携帯電話を収容する小袋（１７ａ）を付設したことを特徴とする請求項１に記載の大腿部着用形パウチ。
【請求項３】
上記大腿部着用形パウチ（１０）であって、そのパウチ（１０）の上蓋（１９）を二重構造とし、二重構造とした上蓋内にコインを収容する仕切り（２４）を設けたことを特徴とする請求項１または２に記載の大腿部着用形パウチ。
【請求項４】
上記大腿部着用形パウチ（１０）であって、パウチ（１０）本体の外側面にゴルフボールを収容する小袋（１７ｂ）を付設し、パウチ（１０）本体の一部にゴルフプレー用ティーとマーカーを収容できるようにし、前面にスコアーカードを収容するポケット（２３）を設けたことを特徴とする請求項１乃至３のいずれかに記載の大腿部着用形パウチ。
【発明の詳細な説明】
【技術分野】
【０００１】
この発明は、大腿部に着用するパウチに関する。
【背景技術】
【０００２】
大腿部に着用するパウチの先行技術を調査したところ、それに相当する情報はヒットしなかった。そこで調査範囲を広げて調査したところ特許文献１がヒットした。
【０００３】
【特許文献１】特開平１１−２４４０２２号公報（要約および選択図面）
【０００４】
上記特許文献１に係るものは、「小物入れに長さを調節可能な二本のベルトを取付け上腕部に上記二本のベルトを巻き付けて着用するもの」である。
【発明の開示】
【発明が解決しようとする課題】
【０００５】
上記先行技術に係る小物入れでは、上腕部に着用するものであるから目障りであり、比較的小さいものに限られる。また、ウエストパウチも市販されているが、この場合オートバイ、特にヨーロッパタイプのものに乗車したとき腹部に圧迫感を覚え、長時間着用していると苦痛を覚えるものである。
【０００６】
上記状況に鑑みこの発明は、比較的大きいものでも収容でき、身体を動かす際にじゃまにならず、長時間着用したときでも苦痛を感じない大腿部着用パウチを提供することを課題とする。
【課題を解決するための手段】
【０００７】
上記課題を解決するためにこの発明は、大腿部に着用するパウチであって、このパウチは、腰ベルトに繋がる吊りベルトと、大腿部に巻き付けられるベルトとにより大腿部に密着保持されるようにしたもので、より詳しくは、パウチの外側面に携帯電話を収容する小袋を付設し、上蓋を二重構造として上蓋内にコインを収容する仕切りを設けたり、パウチの外側面にゴルフボールを収容する小袋を付設したり、パウチの一部にゴルフプレー用のティーやマーカーを収容できるようにし、前面にスコアーカードを収容するポケットを設けることができる。
【発明の効果】
【０００８】
上記の如く構成するこの発明によれば、パウチが大腿部に着用されるので比較的大きいものでも収容することができ、腰ベルトに繋がる吊りベルトにより下方向の加重を受け止め、大腿部に巻き付けるベルトによってパウチが密着状態で保持されるので、歩行（運動）時に邪魔にならない。また、各種専用の小袋を設けることにより収容物を仕分けて収容でき出し入れが便利になる。
【発明を実施するための最良の形態】
【０００９】
次にこの発明の実施の形態を、図面を参照しながら説明する。図１、図２は本発明の大腿部着用パウチの基本形を示し、吊りベルト１１上端に形成された環状部１２に腰ベルト１３を通して繋がり、吊りベルト１１の下端にパウチ１０が取付けられている。なお、図２において、腰ベルト２６のバックル２７は、嵌め殺しタイプのものを採用している。
【００１０】
また、パウチ１０の後面には大腿部１４に巻き付けるベルト１５が取付けられ、面ファスナー１６により長さを自在に調節出来るようになっている。
【実施例１】
【００１１】
図１、図２は実施例１でパウチ１０の側面に携帯電話を収容する小袋１７ａが形成され、パウチ１０は、上・下の二重構造となり、下部の前面にはジッパー１８ａが設けられて開閉可能になり、上部には上蓋１９が設けられ、上蓋１９に付設された面ファスナー付きタッグ２０により上蓋１９が開閉可能になっている。なお、上蓋を図２のようにジッパー１８ｆで開閉可能とすることもできる。
【実施例２】
【００１２】
図３は実施例２で、パウチ１０を大腿部に着用する状態は実施例１と同じである。この実施例はゴルフ用としたもので、パウチ１０の外側面には、開口部はゴムを通して口を絞ったゴルフボールを収容する小袋１７ｂが設けられている。
【００１３】
パウチ１０は上下二段に区切られて、上側の内面には内ポケット２１が設けられ下側の収容部分２２には「ティー」あるいは「マーカー」を収容できるように仕切られて、ジッパー１８ｂで開閉可能になっている。
【００１４】
また、パウチ１０の前面にはスコアーカードを収容するポケット２３が設けられている。なお、開閉部にはジッパーを採用したが、面ファスナーを採用してもよい。また、この実施例のパウチ１０の水平断面を三日月状としたのは、パウチ全体が大腿部に沿って着用できるようにし、動作(運動)の妨げにならないようにしたものである。
【実施例３】
【００１５】
図４は実施例３で、パウチ１０を大腿部に着用する状態は実施例１と同じである。この実施例では、パウチ１０の上蓋１９を二重構造とし、上蓋１９の前と両側部に亘ってジッパー１８ｃを巡らせて上蓋１９の天面１９ｂを開閉可能にし、その内部にコインを収容する仕切り２４と紙幣を収容するポケット２５を設けたものである。
【００１６】
この実施例の水平断面は長方形になっているが、実施例１，２と同様に三日月状とすることもでき、パウチ１０内部を実施例１，２と同様、内ポケットや仕切りを設け、上下二段構造にすることもできる。
【産業上の利用可能性】
【００１７】
以上説明した如くこの発明によれば、比較的大きいものでも収容することが可能になり、着用したときの動作（運動）の妨げにならず、長時間着用しても苦痛を覚えることがない。
【図面の簡単な説明】
【００１８】
【図１】実施例１の着用した状態の斜視図
【図２】同上の外した状態で背面からの斜視図
【図３】実施例２の部分斜視図
【図４】実施例３の部分斜視図
【符号の説明】
【００１９】
１０  パウチ
１１  吊りベルト
１２  環状部
１３  腰ベルト
１４  大腿部
１５  ベルト(大腿部に巻き付ける）
１６  面ファスナー（ベルト１５の）
１７ａ，１７ｂ  小袋
１８ａ，１８ｂ，１８ｃ，１８ｄ，１８ｅ，１８ｆ  ジッパー
１９  上蓋
２０  面ファスナー付きタッグ
２１  内ポケット
２２  下側収容部
２３  ポケット(スコアーカード用）
２４  仕切り（コイン用）
２５  ポケット（紙幣用）
【図１】
2006340773.tif 000003
【図２】
2006340773.tif 000004
【図３】
2006340773.tif 000005
【図４】
2006340773.tif 000006